(57)【特許請求の範囲】
【請求項１】
並列に配列された複数の鍵と、
押鍵操作されている前記鍵に対してアクション荷重を付与する複数のハンマー部材と、
前記複数のハンマー部材それぞれを保持するハンマー保持部材と、
前記ハンマー保持部材に挿入されており、かつ前記複数のハンマー部材それぞれが回転動作可能に取り付けられているハンマー保持軸と、
を備えていることを特徴とする鍵盤装置のアクション機構。
【請求項２】
請求項１に記載の鍵盤装置のアクション機構において、前記ハンマー保持部材は、第１方向に開放された第１ハンマー切欠き部と、前記第１方向とは異なる方向に開放された第２ハンマー切欠き部と、を備えていることを特徴とする鍵盤装置のアクション機構。
【請求項３】
請求項２に記載の鍵盤装置のアクション機構において、前記第１ハンマー切欠き部と前記第２ハンマー切欠き部とが前記ハンマー保持部材に交互に設けられていることを特徴とする鍵盤装置のアクション機構。
【請求項４】
請求項１乃至３のいずれか１項に記載の鍵盤装置のアクション機構において、前記複数のハンマー部材それぞれは、前記ハンマー保持軸が挿入するハンマー嵌合孔を有することを特徴とする鍵盤装置のアクション機構。
【請求項５】
並列に配列された複数の鍵と、
前記複数の鍵それぞれに対応して配置され、当該複数の鍵それぞれの押鍵操作に応じて回転動作する複数の伝達部材と、
前記複数の伝達部材それぞれを保持する伝達保持部材と、
前記伝達保持部材に挿入されており、かつ前記複数の伝達部材それぞれが回転動作可能に取り付けられている伝達保持軸と、
を備えていることを特徴とする鍵盤装置のアクション機構。
【請求項６】
請求項５に記載の鍵盤装置のアクション機構において、前記伝達保持部材は、第１方向に開放された第１伝達切欠き部と、前記第１方向とは異なる方向に開放された第２伝達切欠き部と、を備えていることを特徴とする鍵盤装置のアクション機構。
【請求項７】
請求項６に記載の鍵盤装置のアクション機構において、前記第１伝達切欠き部と前記第２伝達切欠き部とが前記伝達保持部材に交互に設けられていることを特徴とする鍵盤装置のアクション機構。
【請求項８】
請求項５乃至７のいずれか１項に記載の鍵盤装置のアクション機構において、前記複数の伝達部材それぞれは、前記伝達保持軸が挿入する伝達嵌合孔を有することを特徴とする鍵盤装置のアクション機構。
【請求項９】
請求項１〜請求項８のいずれかに記載された鍵盤装置のアクション機構を備えていることを特徴とする鍵盤楽器。
【発明の詳細な説明】
【技術分野】
【０００１】
この発明は、ピアノなどの鍵盤装置のアクション機構およびそれを備えた鍵盤楽器に関する。
【背景技術】
【０００２】
例えば、鍵盤装置のアクション機構においては、特許文献１に記載されているように、鍵の押鍵操作によって回転するウイペンと、このウイペンの回転動作に応じて駆動されるジャックと、このジャックによって駆動されて弦を打撃するハンマー部材とを備え、これらが複数の鍵それぞれに対応して設けられた構成のものが知られている。
【先行技術文献】
【特許文献】
【０００３】
【特許文献１】特開２００２−２５８８３５号公報
【０００４】
このような鍵盤装置のアクション機構は、複数の鍵の配列方向にその全長に亘って梁渡されたウイペンレールとハンマーレールとを備えている。ウイペンレールには、複数のウイペン保持部が複数の鍵それぞれに対応して取り付けられており、これらウイペン保持部には、複数のウイペンがそれぞれピンによって回転可能に取り付けられている。
【０００５】
また、ハンマーレールには、複数のハンマー保持部が複数のウイペンそれぞれに対応して取り付けられており、これらハンマー保持部には、複数のハンマー部材の各シャンクがそれぞれピンによって回転可能に取り付けられている。
【発明の概要】
【発明が解決しようとする課題】
【０００６】
このような鍵盤装置のアクション機構では、ハンマー部材をピンによってハンマー保持部に個別に取り付けなければならないため、複数のハンマー部材をハンマーレールに取り付ける際に、複数のハンマー部材の取付手順に応じて複数のハンマー保持部を順番にハンマーレールに個別に取り付ける必要がある。このため、部品点数が多く、組立て作業が煩雑で面倒であり、生産性が悪く、低コスト化を図ることができないという問題がある。
【０００７】
また、この鍵盤装置のアクション機構では、ウイペンをピンによってウイペン保持部に個別に取り付けなければならないため、複数のウイペンをウイペンレールに取り付ける際に、複数のウイペンの取付手順に応じて複数のウイペン保持部を順番にウイペンレールに個別に取り付ける必要がある。このため、部品点数が多く、組立て作業が煩雑で面倒であり、生産性が悪く、低コスト化を図ることができないという問題がある。
【０００８】
この発明によれば、組み立て作業性および生産性の向上を図り、回転動作する部材を良好に保持できる鍵盤装置のアクション機構およびそれを備えた鍵盤楽器を提供することである。
【課題を解決するための手段】
【０００９】
この発明の一実施態様は、並列に配列された複数の鍵と、押鍵操作されている前記鍵に対してアクション荷重を付与する複数のハンマー部材と、前記複数のハンマー部材それぞれを保持するハンマー保持部材と、前記ハンマー保持部材に挿入されており、かつ前記複数のハンマー部材それぞれが回転動作可能に取り付けられているハンマー保持軸と、を備えていることを特徴とする鍵盤装置のアクション機構である。
【００１０】
また、この発明の一実施態様は、並列に配列された複数の鍵と、前記複数の鍵それぞれに対応して配置され、当該複数の鍵それぞれの押鍵操作に応じて回転動作する複数の伝達部材と、前記複数の伝達部材それぞれを保持する伝達保持部材と、前記伝達保持部材に挿入されており、かつ前記複数の伝達部材それぞれが回転動作可能に取り付けられている伝達保持軸と、を備えていることを特徴とする鍵盤装置のアクション機構である。
【発明の効果】
【００１１】
この発明によれば、組み立て作業性および生産性の向上を図り、回転動作するハンマー部材を良好に保持できる。
【００１２】
この発明によれば、組み立て作業性および生産性の向上を図り、回転動作する伝達部材を良好に保持できる。
【図面の簡単な説明】
【００１３】
【図１】この発明を電子鍵盤楽器に適用した第１実施形態における鍵盤装置を示した平面図である。
【図２】図１に示された鍵盤装置のＡ−Ａ矢視における拡大側面図である。
【図３】図２に示された鍵盤装置において、複数の支持部材に伝達支持レールおよびハンマー支持レールを鍵の配列方向の全長に亘って配置した状態を示した拡大側面図である。
【図４】図３に示された支持部材を示した拡大斜視図である。
【図５】図２に示された伝達保持部材および伝達部材の各一部を示し、（ａ）はその拡大平面図、（ｂ）はそのＢ−Ｂ矢視における拡大断面図である。
【図６】図２に示された伝達保持部材および伝達部材を示し、（ａ）はその拡大側面図、（ｂ）はその伝達部材の拡大底面図である。
【図７】図２に示された伝達保持部材に伝達部材を取り付けて、鍵の上側に配置した状態を示した拡大側面図である。
【図８】図２に示されたハンマー保持部材およびハンマー部材の各一部を示し、（ａ）はその拡大平面図、（ｂ）はそのＣ−Ｃ矢視における拡大断面図である。
【図９】図８（ａ）に示されたハンマー保持部材およびハンマー部材を示した拡大側面図である。
【図１０】図２に示されたハンマー保持部材にハンマー部材を取り付けて、伝達部材の上側に配置した状態を示した拡大側面図である。
【図１１】この発明を電子鍵盤楽器に適用した第２実施形態において、ハンマー保持部材を示した拡大斜視図である。
【図１２】図１１に示されたハンマー保持部材の拡大平面図である。
【図１３】図１２に示されたハンマー保持部材の各側面を示し、（ａ）はその左側を示した拡大側面図、（ｂ）はその右側を示した拡大側面図、（ｃ）はそのＤ−Ｄ矢視における拡大断面図、（ｄ）はそのＥ−Ｅ矢視における拡大断面図である。
【図１４】この発明を電子鍵盤楽器に適用した第２実施形態において、伝達保持部材を示した要部の拡大平面図である。
【図１５】図１４に示された伝達保持部材の各側面を示し、（ａ）はその上辺側を示した拡大側面図、（ｂ）はその下辺側を示した拡大側面図、（ｃ）はそのＦ−Ｆ矢視における拡大断面図、（ｄ）はそのＧ−Ｇ矢視における拡大断面図である。
【発明を実施するための形態】
【００１４】
（第１実施形態）
以下、図１〜図１０を参照して、この発明を電子鍵盤楽器に適用した第１実施形態について説明する。
この電子鍵盤楽器は、図１および図２に示すように、鍵盤装置１を備えている。この鍵盤装置１は、楽器ケース（図示せず）内に組み込まれるものである。この鍵盤装置１は、並列に配列された複数の鍵２と、これら複数の鍵２の押鍵操作に応じて各鍵２それぞれにアクション荷重を付与するアクション機構３と、を備えている。
【００１５】
複数の鍵２は、図１および図２に示すように、白鍵２ａおよび黒鍵２ｂを有し、これら白鍵２ａおよび黒鍵２ｂが例えば８８個並列に配列されている。これら複数の鍵２は、その前後方向（図２では左右方向）におけるほぼ中間部がそれぞれバランスピン４ａ、４ｂによって上下方向に回転可能に支持され、この状態でベース板５上に並列に配列されている。
【００１６】
この場合、ベース板５上には、図２に示すように、複数の鍵２の各前端部（図２では右端部）の各下面がそれぞれ接離可能に当接するクッション材６ａ、６ｂが鍵２の配列方向に沿って設けられている。また、このベース板５上には、複数の鍵２の各後端部（図２では左端部）の各下面がそれぞれ接離可能に当接するクッション材７が鍵２の配列方向に沿って設けられている。さらに、このベース板５上には、複数の鍵２がその配列方向に横振れするのを防ぐためのガイドピン８ａ、８ｂがそれぞれ起立して設けられている。
【００１７】
アクション機構３は、図１および図２に示すように、複数の鍵２それぞれの押鍵操作に応じてそれぞれ上下方向に回転動作する複数の伝達部材１０と、これら複数の伝達部材１０の各回転動作に応じてそれぞれ上下方向に回転動作して複数の鍵２それぞれにアクション荷重を付与する複数のハンマー部材１１と、を備えている。
【００１８】
また、このアクション機構３は、図２に示すように、複数の伝達部材１０をそれぞれ回転自在に保持する複数の伝達保持部１３が鍵２の配列方向に沿って一体に形成された伝達保持部材１２と、複数のハンマー部材１１をそれぞれ回転自在に保持する複数のハンマー保持部１５が鍵２の配列方向に沿って一体に形成されたハンマー保持部材１４と、を備えている。
【００１９】
この場合、伝達保持部材１２は、図２および図３に示すように、鍵２の配列方向に沿って配置された伝達支持レール１７上に取り付けられている。また、ハンマー保持部材１４は、鍵２の配列方向に沿って配置されたハンマー支持レール１８上に取り付けられている。これら伝達支持レール１７およびハンマー支持レール１８は、複数の支持部材２０に支持されて、複数の鍵２の上方に配置されている。
【００２０】
複数の支持部材２０は、図１〜図３に示すように、鍵２の配列方向の全長における予め定められた複数個所にそれぞれ位置した状態で、ベース板５上に起立して取り付けられている。この場合、複数の鍵２は全体で例えば８８個配列されている。これに応じて、複数の支持部材２０は、複数の鍵２の配列方向における両端部と、例えば２０個の鍵２ごとに位置する３箇所の各鍵２間と、の個所に配置されている。すなわち、この実施形態では、支持部材２０が鍵２の配列方向の全長における５箇所に配置されている。
【００２１】
この支持部材２０は、ＡＢＳ樹脂などの硬質の合成樹脂からなり、図３および図４に示すように、ベース板５上に取り付けられる取付部２０ａと、この取付部２０ａ上に一体に形成されたブリッジ部２０ｂと、を有している。これにより、支持部材２０は、取付部２０ａがベース板５上に取り付けられることにより、ブリッジ部２０ｂが鍵２の上方に突出した状態で、複数の鍵２の後部間に配置されるように構成されている。
【００２２】
この場合、ブリッジ部２０ｂの後端下部、つまり取付部２０ａの後側上部（図３では左側上部）には、図３および図４に示すように、伝達支持レール１７を支持する後側レール支持部２０ｃが設けられている。また、ブリッジ部２０ｂの前側上部（図３では右側上部）には、ハンマー支持レール１８を支持する前側レール支持部２０ｄが設けられている。さらに、ブリッジ部２０ｂの後側上部（図３では左側上部）には、ストッパレール支持部２０ｅが設けられており、ブリッジ部２０ｂの上部には、基板レール支持部２０ｆが設けられている。
【００２３】
伝達支持レール１７は、図２および図３に示すように、断面が矩形状の角筒状に形成され、複数の鍵２の配列方向の全長に亘る長さに形成されている。この伝達支持レール１７は、鍵２の配列方向における所定箇所が複数の支持部材２０の各後側レール支持部２０ｃ上に取り付けられるように構成されている。
【００２４】
この伝達支持レール１７上には、図２および図３に示すように、複数の伝達保持部材１２および複数のストッパ支持部２１が鍵２の配列方向に沿って取り付けられている。この場合、複数のストッパ支持部２１は、金属板からなり、複数の支持部材１０に対応する伝達支持レール１７上の５箇所に、図３に示すように、複数の伝達保持部材１２の上方に突出した状態で取り付けられている。
【００２５】
伝達保持部材１２は、ＡＢＳ樹脂などの硬質の合成樹脂からなり、図５（ａ）および図５（ｂ）に示すように、本体板１２ａ上の後端部（図３では左端部）に複数の伝達保持部１３が例えば１０個程度の各鍵２に対した状態で鍵２の配列方向に沿って一体に形成されている。これら複数の伝達保持部１３それぞれは、伝達部材１０が回転自在に取り付けられた状態で、伝達部材１０の横触れを防ぐ軸支持部２２と、梱包輸送時に伝達部材１０の横触れを規制する規制部２３と、を有している。
【００２６】
この場合、軸支持部２２は、図３および図５に示すように、伝達保持部材１２の本体板１２ａ上の後端部（図３では左端部）に各鍵２と対応してそれぞれ形成された一対のガイド壁２２ａを有している。これら一対のガイド壁２２ａは、伝達部材１０の後述する伝達嵌合部２６を両側から摺動可能に挟んだ状態で、伝達部材１０の伝達嵌合部２６を回転可能にガイドするガイド部を構成している。
【００２７】
また、これら一対のガイド壁２２ａには、図５（ａ）および図５（ｂ）に示すように、伝達部材１０を回転可能に保持する伝達保持軸２４が挿入する伝達軸挿入部２２ｂが互いに対応して設けられている。すなわち、この伝達軸挿入部２２ｂは、円形状の孔であり、複数の伝達保持部１３の各軸支持部２２における各一対のガイド壁２２ａそれぞれに同一軸上に対応して設けられている。
【００２８】
伝達保持軸２４は、図５（ａ）および図５（ｂ）に示すように、アルミニウムやステンレスなどの金属製のパイプであり、その外径が伝達軸挿入部２２ｂの内径とほぼ同じ大きさに形成されている。この伝達保持軸２４は、その軸方向の長さが、鍵配列方向における伝達保持部材１２の全長と同じ長さに形成されている。
【００２９】
これにより、伝達保持軸２４は、図５（ａ）および図５（ｂ）に示すように、その一端部が伝達保持部材１２の一方の端部側から複数の伝達保持部１３の各軸支持部２２それぞれに設けられた複数の伝達軸挿入部２２ｂに順次挿入されて、伝達保持部材１２の他方の端部に位置する軸支持部２２の伝達軸挿入部２２ｂに挿入されるように構成されている。
【００３０】
これにより、伝達保持軸２４は、図５（ａ）に示すように、鍵配列方向における伝達保持部材１２の全長に亘って取り付けられるように構成されている。この場合、鍵２の配列方向における伝達保持部材１２の両端部には、伝達保持軸２４が伝達保持部材１２から抜け出すのを防ぐための蓋部（図示せず）が取り付けられている。
【００３１】
また、伝達保持部１３の規制部２３は、図３および図５に示すように、伝達保持部材１２の本体板１２ａの前部（図３では右側部）上に各伝達部材１０と対応して形成された一対の規制壁である。この規制部２３は、図５（ａ）に示すように、伝達部材１０の後側下部を挟んだ状態で、伝達部材１０を回転可能にガイドするほか、梱包輸送時に伝達部材１０の横振れを規制するように構成されている。
【００３２】
伝達部材１０は、ＡＢＳ樹脂などの硬質の合成樹脂からなり、図２および図６に示すように、鍵２の押鍵操作に応じて上下方向に回転してハンマー部材１１を上下方向に回転させる伝達本体部２５と、この伝達本体部２５に一体に形成されて、伝達保持部材１２に取り付けられた伝達保持軸２４に回転自在に取り付けられる伝達嵌合部２６と、を有している。
【００３３】
伝達本体部２５は、図６（ａ）および図６（ｂ）に示すように、ワッフル形状に形成されている。すなわち、この伝達本体部２５は、厚みの薄い縦板部２５ａと、この縦板部２５ａの外周部および両側面に格子状に形成された複数のリブ部２５ｂと、を有し、これらがワッフル形状に形成されている。
【００３４】
この伝達本体部２５は、図６（ａ）および図６（ｂ）に示すように、縦板部２５ａの形状および複数のリブ部２５ｂの形成密度によって、伝達部材１０の重量を調整するように構成されている。また、この伝達本体部２５は、縦板部２５ａの厚みを薄く形成しても、複数のリブ部２５ｂによって強度が確保されると共に、成形時に縦板部２５ａにヒケの発生を防ぐように構成されている。
【００３５】
伝達嵌合部２６は、図６および図７に示すように、全体がほぼ半円形状に形成され、伝達本体部２５の後端部に連結首部２６ａを介して後方に突出して形成されている。すなわち、この伝達嵌合部２６は、図５（ａ）に示すように、鍵２の配列方向の厚みが伝達保持部１３の軸支持部２２の一対のガイド壁２２ａ間とほぼ同じ長さに形成されて、一対のガイド壁２２ａ間に摺動可能に挿入されるように構成されている。
【００３６】
また、この伝達嵌合部２６の中心部には、図６および図７に示すように、伝達保持部材１２に取り付けられる伝達保持軸２４が挿入する伝達嵌合孔２６ｂが円形状に形成されている。この伝達嵌合孔２６ｂは、その内径が伝達保持軸２４の外形とほぼ同じ大きさに形成されている。
【００３７】
これにより、伝達嵌合部２６は、図６および図７に示すように、伝達保持部１３の軸支持部２２の一対のガイド壁２２ａ間に配置された状態で、一対のガイド壁２２ａに設けられた伝達挿入部２２ｂに伝達保持軸２４を挿入する際に、その伝達保持軸２４が伝達嵌合孔２６ｂに挿入することにより、伝達保持軸２４に回転可能に取り付けられるように構成されている。
【００３８】
また、この伝達嵌合部２６は、図５（ａ）および図６（ｂ）に示すように、その厚み方向における中間部にスリット溝２６ｃが、伝達保持軸２４の軸方向と直交する方向、つまり伝達部材１０の長手方向に沿って形成された構成になっている。これにより、伝達嵌合部２６は、その厚み方向である伝達保持軸２４の軸方向に弾性変形するように構成されている。これにより、伝達嵌合部２６は、一対のガイド壁２２ａ間に挿入された際に、スリット溝２６ｃによって一対のガイド壁２２ａの各対向面に摺動可能に弾接するように構成されている。
【００３９】
ところで、伝達部材１０の伝達本体部２５における後側下部には、図６（ａ）および図６（ｂ）に示すように、伝達保持部材１２の規制部２３に規制される肉厚の薄い係合部２７が設けられている。この係合部２７は、伝達本体部２５の後側下部の両側面を切り欠くことにより、その厚みが規制部２３の一対の規制壁間とほぼ同じ長さに形成されている。これにより、係合部２７は、規制部２３の一対の規制壁間に挿入されることにより、伝達部材１０を回転可能にガイドするほか、梱包輸送時に伝達部材１０の横振れを規制するように構成されている。
【００４０】
また、この伝達部材１０の伝達本体部２５は、図２および図７に示すように、その下部が鍵２の上面に向けて突出して形成されている。この伝達本体部２５の下端部には、第１伝達フェルト２８が設けられている。この第１伝達フェルト２８は、鍵２の後側上部に設けられたキャプスタン２９が下側から当接するように構成されている。これにより、伝達部材１０は、鍵２が押鍵された際に、第１伝達フェルト２８に下側から当接する鍵２のキャプスタン２９によって押し上げられて、伝達保持軸２４を中心に反時計回りに回転するように構成されている。
【００４１】
さらに、伝達部材１０の伝達本体部２５は、図２および図７に示すように、その前端上部が後端上部よりも高く形成されている。これにより、伝達本体部２５は、その上辺部が後部下がりに傾斜するように形成されている。この伝達本体部２５の前端上部には、第２伝達フェルト３０が設けられている。
【００４２】
この第２伝達フェルト３０は、図２に示すように、ハンマー部材１１の後述するハンマー突起部３１が上方から当接するように構成されている。これにより、伝達部材１０は、鍵２が押鍵されて伝達保持軸２４を中心に反時計回りに回転した際に、ハンマー部材１１のハンマー突起部３１を押し上げてハンマー部材１１を時計回りに回転させるように構成されている。
【００４３】
一方、ハンマー支持レール１８は、図１〜図３に示すように、伝達支持レール１７と同様、断面が矩形状の角筒状に形成され、複数の鍵２の配列方向の全長に亘る長さに形成されている。このハンマー支持レール１８は、鍵２の配列方向における所定箇所が複数の支持部材２０の各前側レール支持部２０ｄ上に取り付けられるように構成されている。このハンマー支持レール１８上には、複数のハンマー保持部材１４が鍵２の配列方向に沿って取り付けられている。
【００４４】
ハンマー保持部材１４は、ＡＢＳ樹脂などの硬質の合成樹脂からなり、図８（ａ）および図８（ｂ）に示すように、上方が開放されたレール状の本体板１４ａの後端部に複数のハンマー保持部１５が例えば１０個程度の各鍵２に対した状態で鍵２の配列方向に沿って一体に形成されている。このハンマー保持部１５は、ハンマー部材１１が回転自在に取り付けられた状態で、ハンマー部材１１の横振れを防ぐ軸支持部３２を有している。
【００４５】
この場合、軸支持部３２は、図８（ａ）および図８（ｂ）に示すように、ハンマー保持部材１４の本体板１４ａ上の後端部（図８（ａ）では左端部）に各伝達部材１０と対応して形成された一対のガイド壁３２ａを有している。一対のガイド壁３２ａは、ハンマー部材１１の後述するハンマー嵌合部３７を両側から摺動可能に挟んだ状態で、ハンマー部材１１のハンマー嵌合部３７を回転可能にガイドするガイド部を構成している。
【００４６】
また、これら一対の一対のガイド壁３２ａには、図８（ａ）および図８（ｂ）に示すように、ハンマー部材１１を回転可能に保持するハンマー保持軸３４が挿入するハンマー軸挿入部３２ｂが互いに対応して設けられている。すなわち、このハンマー軸挿入部３２ｂは、円形状の孔であり、複数のハンマー保持部１５の各軸支持部３２における各一対のガイド壁３２ａそれぞれに同一軸上に対応して設けられている。
【００４７】
ハンマー保持軸３４は、図８（ａ）および図８（ｂ）に示すように、伝達保持軸２４と同様、アルミニウムやステンレスなどの金属製のパイプであり、その外径がハンマー軸挿入部３２ｂの内径とほぼ同じ大きさに形成されている。このハンマー保持軸３４は、その軸方向の長さが、鍵配列方向におけるハンマー保持部材１４の全長と同じ長さに形成されている。
【００４８】
これにより、ハンマー保持軸３４は、図８（ａ）および図８（ｂ）に示すように、その一端部がハンマー保持部材１４の一方の端部側から複数のハンマー保持部１５の各軸支持部３２それぞれに設けられた複数のハンマー軸挿入部３２ｂに順次挿入されて、ハンマー保持部材１３の他方の端部に位置する軸支持部３２のハンマー軸挿入部３２ｂに挿入されるように構成されている。
【００４９】
これにより、ハンマー保持軸３４は、図８（ａ）に示すように、ハンマー保持部材１４における鍵２の配列方向の全長に亘って取り付けられるように構成されている。この場合、鍵２の配列方向におけるハンマー保持部材１４の両端部には、ハンマー保持軸３４がハンマー保持部材１４から抜け出すのを防ぐための蓋部（図示せず）が取り付けられている。
【００５０】
ハンマー部材１１は、ＡＢＳ樹脂などの硬質の合成樹脂からなり、図８および図９に示すように、ハンマー部３５とハンマーアーム３６とを有し、これらが一体に形成された構成になっている。ハンマー部３５は、杓形状の縦板部３５ａを有し、その外周部およびその両側面にリブ部３５ｂが形成された構成になっている。ハンマーアーム３６は、前後方向の長さが伝達部材１０とほぼ同じ長さの横板部３６ａを有し、その外周部および両側面にリブ部３６ｂが形成された構成になっている。
【００５１】
このハンマーアーム３６の前端部（図９では右端部）には、図８および図９に示すように、ハンマー保持部材１４の軸支持部３２に回転自在に取り付けられるハンマー嵌合部３７が形成されている。このハンマー嵌合部３７は、伝達嵌合部２６と同様、全体がほぼ半円形状に形成され、ハンマーアーム３６の前端部に連結首部３７ａを介して前方に突出して形成されている。すなわち、このハンマー嵌合部３７は、鍵２の配列方向の厚みが軸支持部３２の一対のガイド壁３２ａ間とほぼ同じ長さに形成されて、一対のガイド壁３２ａ間に摺動可能に挿入されるように構成されている。
【００５２】
また、このハンマー嵌合部３７の中心には、図８〜図１０に示すように、ハンマー保持部１５に取り付けられるハンマー保持軸３４が挿入するハンマー嵌合孔３７ｂが円形状に形成されている。このハンマー嵌合孔３７ｂは、その内径が伝達保持軸２４の外形とほぼ同じ大きさに形成されている。
【００５３】
これにより、ハンマー嵌合部３７は、図８〜図１０に示すように、ハンマー保持部１５の軸支持部３２における一対のガイド壁３２ａ間に配置された状態で、一対のガイド壁３２ａに設けられたハンマー軸挿入部５２にハンマー保持軸３４を挿入する際に、そのハンマー保持軸３４がハンマー嵌合孔３７ｂに挿入することにより、ハンマー保持軸３４に回転可能に取り付けられるように構成されている。
【００５４】
また、このハンマー嵌合部３７は、図８（ａ）に示すように、その厚み方向における中間部にスリット溝３７ｃが、ハンマー保持軸３４の軸方向と直交する方向、つまりハンマー部材１１の長手方向に沿って形成された構成になっている。これにより、ハンマー嵌合部３７は、その厚み方向であるハンマー保持軸３４の軸方向に弾性変形するように構成されている。これにより、ハンマー嵌合部３７は、一対のガイド壁３２ａ間に挿入された際に、スリット溝３７ｃによって一対のガイド壁３２ａの各対向面に摺動可能に弾接するように構成されている。
【００５５】
さらに、ハンマーアーム３６の前端下部には、図９および図１０に示すように、伝達部材１０の伝達本体部２５の前端上部に設けられた第２伝達フェルト３０に上方から当接するハンマー突起部３１が設けられている。これにより、ハンマー部材１１は、伝達部材１０が反時計回りに回転すると、その回転に応じてハンマー突起部３１が押し上げられることにより、ハンマー保持部１５のハンマー保持軸３４を中心に時計回りに回転するように構成されている。
【００５６】
また、このハンマーアーム３６は、図２および図１０に示すように、その後端下部が下限ストッパ３８に上方から当接することにより、初期位置である下限位置に規制されるように構成されている。すなわち、この下限ストッパ３８は、伝達支持レール１７上に設けられた複数のストッパ支持部２１に支持された下限ストッパレール３９上に取り付けられている。この場合、複数のストッパ支持部２１は、図１０に示すように、その各上部が後部下がりに傾斜して形成されている。
【００５７】
下限ストッパレール３９は、図２および図１０に示すように、下側に開放されたレール状に形成され、鍵２の配列方向の全長に亘る長さに形成されている。この下限ストッパレール３９は、複数のストッパ支持部２１の各上部に後部下りに傾斜した状態で取り付けられている。このため、下限ストッパ３８は、下限ストッパレール３９上に後部下がりに傾斜した状態で設けられている。これにより、ハンマー部材１０は、ハンマーアーム３６の後端下部が下限ストッパ３８に上方から当接することにより、後部下がりに傾斜した状態で、初期位置に位置規制されるように構成されている。
【００５８】
また、このハンマーアーム３６は、図２および図１０に示すように、その後端上部が上限ストッパ４０に下方から当接することにより、上限位置が規制されるように構成されている。すなわち、この上限ストッパ４０は、複数の支持部材２０の各ストッパレール支持部２０ｅに取り付けられた上限ストッパレール４１の下面に取り付けられている。
【００５９】
この場合、上限ストッパレール４１は、図２および図１０に示すように、断面がほぼＬ字形状に形成された長板であり、鍵２の配列方向の全長に亘る長さに形成されている。この上限ストッパレール４１は、その水平部が複数の支持部材２０の各ストッパレール支持部２０ｅから後方に突出した状態で、垂直部が各ストッパレール支持部２０ｅにビス４１ａによって取り付けられている。
【００６０】
上限ストッパ４０は、図２および図１０に示すように、上限ストッパレール４１の水平部の下面に設けられている。これにより、ハンマー部材１０は、ハンマーアーム３６がハンマー保持部１５のハンマー保持軸３４を中心に時計回りに回転した際に、ハンマーアーム３６の後端上部が上限ストッパ４０に下方から当接することにより、上限位置が規制されるように構成されている。
【００６１】
さらに、ハンマーアーム３６の前端上部には、図２および図１０に示すように、スイッチ押圧部４２が形成されている。このハンマーアーム３６のスイッチ押圧部４２に対応する上方には、スイッチ基板４３が一対の基板支持レール４４によって配置されている。これら一対の基板支持レール４４は、それぞれ断面がＬ字形状に形成された長板であり、鍵２の配列方向の全長に亘る長さに形成されている。
【００６２】
これら一対の基板支持レール４４は、図２および図１０に示すように、その各水平部が複数の支持部材２０の各基板レール支持部２０ｆ上に所定間隔離れた状態で取り付けられている。スイッチ基板４３は、図１に示すように、複数に分割されている。すなわち、この実施形態では、スイッチ基板４３が例えば４つに分割されて２０個程度の各鍵２に対応する長さで、一対の基板支持レール４４上に取り付けられている。
【００６３】
これらスイッチ基板４３の下面には、図２および図１０に示すように、ゴムスイッチ４５がそれぞれ設けられている。このゴムスイッチ４５は、鍵２の配列方向に長いゴムシートに逆ドーム状の膨出部４５ａが複数のハンマーアーム３６にそれぞれ対応して形成された構成になっている。この膨出部４５ａの内部には、スイッチ基板４３の下面に設けられた複数の固定接点（図示せず）に接離可能に接触する複数の可動接点４５ｂがハンマーアーム３６の前後方向に沿って設けられている。
【００６４】
これにより、ゴムスイッチ４５は、図２に示すように、ハンマー部材１１がハンマー保持部１５のハンマー保持軸３４を中心に時計回りに回転して、ハンマーアーム３６のスイッチ押圧部４２によって下側から押圧された際に、逆ドーム状の膨出部４５ａが弾性変形して、複数の可動接点４５ｂが時間を持って順次、複数の固定接点に接触することにより、鍵２の押鍵強さに応じたスイッチ信号を出力するように構成されている。
【００６５】
次に、このような電子鍵盤楽器の鍵盤装置１を組み立てる場合について説明する。
まず、ベース板５上に複数の鍵２および複数の支持部材２０を設置する。この場合には、図１および図２に示すように、８８個の鍵２をベース板５上にバランスピン４ａ、４ｂによってそれぞれ上下方向に回転可能に取り付けた状態で並列に配列させる。また、支持部材２０をベース板５上における鍵２の配列方向における両端部に位置する箇所と、２０個の鍵２ごとに位置する３箇所の各鍵２間の箇所とに取り付ける。
【００６６】
この状態で、図３に示すように、複数の支持部材２０の各後側レール支持部２０ｃ上に伝達支持レール１７を取り付けて鍵２の配列方向の全長に亘って配置すると共に、この伝達支持レール１７上に複数の伝達保持部材１２および複数のストッパ支持部２１を鍵２の配列方向に沿って取り付ける。同様に、複数の支持部材２０の各前側レール支持部２０ｄ上にハンマー支持レール１８を取り付けて鍵２の配列方向の全長に亘って配置すると共に、このハンマー支持レール１８上に複数のハンマー保持部材１４を鍵２の配列方向に沿って取り付ける。
【００６７】
そして、複数のストッパ支持部２１を、複数の支持部材１０に対応する伝達支持レール１７上の５箇所に、複数の伝達保持部材１２の上方に突出させた状態で取り付ける。この状態で、複数の伝達部材１０を複数の伝達保持部材１２の各伝達保持部１３に順次取り付ける。この場合には、図７に示すように、伝達部材１０の伝達嵌合部２６を伝達保持部１３の軸支持部２２における一対のガイド壁２２ａ間に順次配置する。
【００６８】
このときには、伝達部材１０の伝達嵌合部２６の伝達嵌合孔２６ｂを、複数の伝達保持部１３の各軸支持部２２における各一対のガイド壁２２ａに設けられた各伝達軸挿入部２２ｂに同一軸上に対応させる。この状態で、伝達保持軸２４の一端部を、伝達保持部材１２の一方の端部側から複数の伝達保持部１３の各伝達軸挿入部２２ｂに順次挿入すると共に、複数の伝達部材１０の各伝達嵌合孔２６ｂに順次挿入する。
【００６９】
そして、伝達保持軸２４の一端部を、伝達保持部材１２の他方の端部に位置する軸支持部２２の伝達軸挿入部２２ｂに挿入する。これにより、伝達保持軸２４が伝達保持部材１２にその鍵配列方向の全長に亘って取り付けられ、複数の伝達部材１０が鍵配列方向に沿って並列に配列された状態で、伝達保持軸２４に回転可能に取り付けられる。
【００７０】
このときには、伝達嵌合部２６が軸支持部２２の一対のガイド壁２２ａ間に挿入された際に、伝達嵌合部２６のスリット溝２６ｃによって、伝達嵌合部２６が一対のガイド壁２２ａの各対向面に摺動可能に弾接して挟まれた状態で回転する。このため、伝達部材１０が鍵２の配列方向に横触れすることがなく、上下方向に回転する。
【００７１】
また、このときには、伝達部材１０の下部の第１伝達フェルト２８が鍵２のキャプスタン２９に上方から当接し、伝達部材１０が初期位置に規制される。この場合には、伝達部材１０の後側下部に設けられた係合部２７が伝達保持部１５の規制部２３である一対の規制壁間に挿入されて、伝達部材１０を回転可能にガイドするほか、梱包輸送時に伝達部材１０が鍵２の配列方向に横振れするのを規制する。
【００７２】
このように、複数の伝達部材１０それぞれを伝達保持部材１２の複数の伝達保持部１３に対応させ、この状態で伝達部材１０の伝達嵌合部２６を複数の伝達保持部１３の各軸支持部２２における各一対のガイド壁２２ａ間に順次配置し、伝達部材１０の伝達嵌合部２６の伝達嵌合孔２６ｂを、軸支持部２２の一対のガイド壁２２ａに設けられた各伝達軸挿入部２２ｂに同一軸上に対応させる。
【００７３】
この状態で、伝達保持軸２４を複数の伝達保持部１３の各伝達軸挿入部２２ｂに順次挿入すると共に、複数の伝達部材１０の各伝達嵌合孔２６ｂに順次挿入する。これにより、複数の伝達部材１０が伝達保持部材１２の各伝達保持部１３に伝達保持軸２４によって順次取り付けられ、すべての鍵２に対応してすべての伝達部材１０が取り付けられる。この状態で、伝達保持部材１２の両端部に蓋部（図示せず）を取り付けて伝達保持軸２４の抜け出しを防ぐ。
【００７４】
この後、複数のストッパ支持部２１の上部に下限ストッパレール３９を取り付け、この下限ストッパレール３９上に下限ストッパ３８を取り付ける。そして、複数のハンマー部材１１をそれぞれ複数のハンマー保持部材１４の各ハンマー保持部１５に順次取り付ける。この場合には、図１０に示すように、ハンマー部材１１のハンマー嵌合部３７を複数のハンマー保持部１５の各軸支持部３２における各一対のガイド壁３２ａ間に順次配置する。
【００７５】
このときには、ハンマー部材１１のハンマー嵌合部３７のハンマー嵌合孔３７ｂを、複数のハンマー保持部１５の各軸支持部３２における各一対のガイド壁３２ａに設けられた各ハンマー軸挿入部３２ｂに同一軸上に対応させる。この状態で、ハンマー保持軸３４の一端部を、ハンマー保持部材１４の一方の端部側から複数のハンマー保持部１５の各ハンマー軸挿入部３２ｂに順次挿入すると共に、複数のハンマー部材１１の各ハンマー嵌合孔３７ｂに順次挿入する。
【００７６】
そして、ハンマー保持軸３４の一端部を、ハンマー保持部材１４の他方の端部に位置する軸支持部３２のハンマー軸挿入部３２ｂに挿入する。これにより、ハンマー保持軸３４がハンマー保持部材１４にその鍵配列方向の全長に亘って取り付けられ、複数のハンマー部材１１が鍵配列方向に沿って並列に配列された状態で、ハンマー保持軸３４に回転可能に取り付けられる。
【００７７】
このときには、ハンマー嵌合部３７が軸支持部３２の一対のガイド壁３２ａ間に挿入された際に、ハンマー嵌合部３７のスリット溝３７ｃによって、ハンマー嵌合部３７が一対のガイド壁３２ａの各対向面に摺動可能に弾接して挟まれた状態で回転する。これにより、ハンマー部材１１が、鍵２の配列方向に横触れすることがなく、上下方向に回転する。
【００７８】
この状態で、ハンマー保持軸３４を中心にハンマー部材１１を回転させ、ハンマー部材１１のハンマー突起部３１を伝達部材１０の第２伝達フェルト３０に上方から当接させると共に、ハンマーアーム３６の後側下部を下限ストッパ３８に上方から当接させる。これにより、ハンマー部材１１が後部下がりに傾斜した状態で初期位置に規制される。
【００７９】
このように、複数のハンマー部材１１それぞれをハンマー保持部材１４の複数のハンマー保持部１５に対応させ、この状態でハンマー部材１１のハンマー嵌合部３７を複数のハンマー保持部１５の各軸支持部３２における各一対のガイド壁３２ａ間に順次配置し、ハンマー部材１１のハンマー嵌合部３７のハンマー嵌合孔３７ｂを、軸支持部３２の一対のガイド壁３２ａに設けられた各ハンマー軸挿入部３２ｂに同一軸上に対応させる。
【００８０】
この状態で、ハンマー保持軸３４を複数のハンマー保持部１５の各ハンマー軸挿入部３２ｂに順次挿入すると共に、複数のハンマー部材１１の各ハンマー嵌合孔３７ｂに順次挿入する。これにより、複数のハンマー部材１１がハンマー保持部材１４の各ハンマー保持部１４にハンマー保持軸３４によって順次取り付けられ、すべての鍵２に対応してすべてのハンマー部材１１が取り付けられる。この状態で、ハンマー保持部材１４の両端部に蓋部（図示せず）を取り付けてハンマー保持軸３４の抜け出しを防ぐ。
【００８１】
この後、複数の支持部材２０の各ストッパレール支持部２０ｅに上限ストッパレール４１を取り付け、この上限ストッパレール４１の下面に上限ストッパ４０を取り付ける。また、複数の支持部材２０の各基板レール支持部２０ｆ上に所定間隔離して一対の基板支持レール４４を取り付け、これら一対の基板支持レール４４上に複数のスイッチ基板４３を鍵２の配列方向に沿って取り付ける。
【００８２】
この場合には、予め、スイッチ基板４３の下面にゴムスイッチ４５を取り付ける。そして、このスイッチ基板４３を一対の基板支持レール４４上に取り付ける際には、ゴムスイッチ４５の各膨出部４５ａを複数のハンマーアーム３６の各スイッチ押圧部４２にそれぞれ対応させる。この状態で、スイッチ基板４３を一対の基板支持レール４４上に取り付ける。
【００８３】
次に、このような電子鍵盤楽器の鍵盤装置１の作用について説明する。
この鍵盤装置１では、鍵２を押鍵操作して演奏することができる。このときには、鍵２が押鍵されると、鍵２がバランスピン４ａ、４ｂを中心に時計回りに回転し、鍵２のキャプスタン２９が伝達部材１０を押し上げる。これにより、伝達部材１０が伝達保持部１３に取り付けられた伝達保持軸２４を中心に反時計回りに回転する。
【００８４】
このときには、伝達部材１０の伝達嵌合部２６の伝達嵌合孔２６ａに伝達保持軸２４が嵌合しているので、伝達部材１０がガタつくことなく、伝達保持軸２４を中心に円滑に回転する。また、このときには、伝達部材１０の伝達嵌合部２６が伝達保持部１３の一対のガイド壁２２ａ間に摺動回転可能に挟まれた状態でガイドされるので、伝達部材１０が横振れすることなく、円滑に上下方向に回転する。
【００８５】
このように、伝達部材１０が鍵２のキャプスタン２９によって押し上げられて反時計回りに回転すると、この伝達部材１０の第２フェルト３０によってハンマー部材１１のハンマー突起部３１が押上げられる。これにより、ハンマー部材１１がハンマー保持部１５のハンマー保持軸３４を中心に時計回りに回転して、鍵２にアクション荷重を付与する。
【００８６】
このときには、伝達部材１０と同様、ハンマー部材１１のハンマー嵌合部３７のハンマー嵌合孔３７ａにハンマー保持部１５に取り付けられたハンマー保持軸３４が嵌合しているので、ハンマー部材１１がガタつくことなく、ハンマー保持軸３４を中心に円滑に回転する。また、このときには、ハンマー部材１１のハンマー嵌合部３７がハンマー保持部１５の一対のガイド壁３２ａ間に摺動回転可能に挟まれた状態でガイドされるので、ハンマー部材１１が横振れすることなく、円滑に上下方向に回転する。
【００８７】
このようにハンマー部材１１がハンマー保持軸３４を中心に時計回りに回転する際には、ハンマー部材１１の慣性モーメントによって鍵２にアクション荷重が付与される。すなわち、ハンマーアーム３６は、鍵２の前後方向の長さが伝達部材１０とほぼ同じ長さに形成され、このハンマーハンマーアーム３６の後端部にハンマー部３５が形成され、この状態でハンマーアーム３６の前端部のハンマー嵌合部３７がハンマー保持軸３４に回転可能に取り付けられている。
【００８８】
このため、ハンマー部材１１がハンマー保持軸３４を中心に時計回りに回転する際には、ハンマー部材１１に慣性モーメントが発生し、この慣性モーメントによって鍵２にアクション荷重が付与される。これにより、アコースティックピアノの鍵タッチ感に極めて近似した鍵タッチ感が得られる。
【００８９】
このようにハンマー部材１１がハンマー保持軸３４を中心に時計回りに回転すると、ハンマーアーム３６のスイッチ押圧部４２がスイッチ基板４３に設けられたゴムスイッチ４５の逆ドーム状の膨出部４５ａを下側から押圧する。これにより、逆ドーム状の膨出部４５ａが弾性変形して、膨出部４５ａ内の複数の可動接点４５ｂが時間を持って順次、複数の固定接点に接触することにより、鍵２の押鍵強さに応じたスイッチ信号を出力し、スピーカ（図示せず）から楽音を発生する。
【００９０】
そして、ハンマー部材１１がハンマー保持軸３４を中心に更に時計回りに回転すると、ハンマーアーム３６の後端上部が上限ストッパ４０に下側から当接して、ハンマー部材１１の回転が規制される。この後、鍵２が離鍵動作を開始すると、伝達部材１０が時計回りに回転して初期位置に戻ると共に、ハンマー部材１１が反時計回りに回転して初期位置に戻る。これに伴って、鍵２が初期位置に戻る。
【００９１】
このように、この電子鍵盤装置のアクション機構３によれば、並列に配列された複数の鍵２それぞれの押鍵操作に応じて回転動作する複数の伝達部材１０と、伝達部材１０の回転動作に応じて回転動作し、鍵２に対してアクション荷重を付与する複数のハンマー部材１１と、これら複数のハンマー部材１１それぞれに対応する複数のハンマー保持部１５が鍵２の配列方向に沿って一体に形成され、かつ複数のハンマー保持部１５それぞれにハンマー軸挿入部３７ｂが同一軸上に対応して設けられたハンマー保持部材１４と、これら複数のハンマー保持部１５それぞれのハンマー軸挿入部３７ｂに挿入されてハンマー保持部材１４の全長に亘って取り付けられ、複数のハンマー部材１１それぞれが回転動作可能に取り付けられるハンマー保持軸３４と、を備えているので、部品点数が少なく、組立て作業性および生産性の向上を図り、低コスト化を図ることができる。
【００９２】
すなわち、この電子鍵盤装置のアクション機構３では、複数のハンマー部材１１をハンマー保持部材１４に取り付ける前に、予め、複数のハンマー保持部１５を個別に製作して組み付ける必要がなく、複数のハンマー保持部１５を一度に設置することができ、この状態で複数のハンマー保持部１５の各ハンマー軸挿入部３２ｂにハンマー保持軸３４を挿入して取り付ける際に、複数のハンマー部材１５それぞれをハンマー保持軸３４に順次回転動作可能に取り付けることができる。このため、部品点数が少なく、組立て作業が容易にできるので、生産性が良く、低コスト化を図ることができる。
【００９３】
この場合、複数のハンマー部材１１それぞれは、ハンマー保持軸３４が挿入するハンマー嵌合孔３７ｂが設けられたハンマー嵌合部３７を有し、複数のハンマー保持部１５それぞれは、ハンマー嵌合部３７が挿入する一対のガイド壁３２ａからなる軸支持部３２を有し、この軸支持部３２の一対のガイド壁３２ａにハンマー軸挿入部３２ｂが同一軸上に設けられていることにより、ハンマー保持軸３４を複数のハンマー保持部１５の各ハンマー軸挿入部３２ｂに挿入する際に、ハンマー保持軸３４をハンマー嵌合部３７のハンマー嵌合孔３７ｂに順次挿入するだけで、簡単にかつ容易に取り付けることができるので、組立て作業性が良い。
【００９４】
すなわち、ハンマー部材１１のハンマー嵌合部３７を複数のハンマー保持部１５の各軸支持部３２における各一対のガイド壁３２ａ間に配置した状態で、ハンマー部材１１のハンマー嵌合部３７のハンマー嵌合孔３７ｂを各一対のガイド壁３２ａそれぞれに設けられた各ハンマー挿入部３２ｂに同一軸上に正確にかつ良好に対応させることができる。
【００９５】
この状態で、ハンマー保持軸３４を複数のハンマー保持部１５の各ハンマー挿入部３２ｂとハンマー部材１１のハンマー嵌合孔３７ｂとに順次挿入することができるので、ハンマー保持部材１４の全長に亘って複数のハンマー部材１１を一度に取り付けることができる。これにより、ハンマー部材１１をハンマー保持軸３４に回転可能な状態で確実にかつ良好に取り付けることができるので、ハンマー部材１１がガタつくことなく、ハンマー部材１１を円滑にかつ良好に回転させることができる。
【００９６】
このため、複数のハンマー部材１１をハンマー保持部材１４に取り付ける前に、予め、複数のハンマー保持部１５が鍵２の配列方向に沿って形成されたハンマー保持部材１４を設置しても、ハンマー部材１１のハンマー嵌合部３７を複数のハンマー保持部１５の各一対のガイド壁３２ａ間に配置することができると共に、ハンマー部材１１のハンマー嵌合部３７のハンマー嵌合孔３７ｂを各一対のガイド壁３２ａそれぞれに設けられた各ハンマー挿入部３２ｂに同一軸上に確実に対応させることができる。
【００９７】
この状態で、ハンマー保持軸３４を一対のガイド壁３２ａの各ハンマー挿入部２２ｂとハンマー部材１１のハンマー嵌合孔３７ｂとに順次挿入することができるので、ハンマー部材１１をハンマー保持軸３４によって複数のハンマー保持部１５に簡単にかつ容易に順次取り付けることができる。このため、組立て作業が容易にでき、生産性の向上を図ることができる。
【００９８】
この場合、ハンマー保持部１５には、ハンマー部材１１の横振れを防ぐ一対のガイド壁３２ａが設けられていることにより、ハンマー保持部１５のハンマー保持軸３４にハンマー部材１１のハンマー嵌合部３７を回転可能に取り付けると、ハンマー嵌合部３７を一対のガイド壁３２ａで摺動可能に挟むことができる。また、ハンマー嵌合部３７には、スリット溝３７ｃがハンマー部材１１の長手方向に沿って形成されているので、ハンマー嵌合部３７が一対のガイド壁３２ａ間に挿入された際に、スリット溝３７ｃによって一対のガイド壁３２ａに摺動可能に弾接させることができる。
【００９９】
このため、このアクション機構３では、押鍵操作に応じてハンマー部材１１が回転する際に、ハンマー保持部１５の一対のガイド壁３２ａによってハンマー部材１１が鍵２の配列方向に横振れするのを防ぐことができる。これにより、ハンマー部材１１を極めて円滑にかつ良好に回転させることができると共に、ハンマー部材１１の位置精度と動作精度とを高めることができる。
【０１００】
また、この電子鍵盤装置のアクション機構３によれば、複数の伝達部材１０それぞれに対応する複数の伝達保持部１３が鍵２の配列方向に沿って一体に形成されていると共に、複数の伝達保持部１３それぞれに伝達軸挿入部２２ｂが同一軸上に設けられた伝達保持部材１２と、複数の伝達保持部１３それぞれの伝達軸挿入部２２ｂに挿入されて伝達保持部材１２の全長に亘って取り付けられ、複数の伝達部材１０それぞれが回転動作可能に取り付けられる伝達保持軸２４と、を備えているので、部品点数が少なく、組立て作業が容易にできるので、生産性が良く、低コスト化を図ることができる。
【０１０１】
すなわち、この電子鍵盤装置のアクション機構３では、複数の伝達部材１０を伝達保持部材１２に取り付ける前に、予め、複数の伝達保持部１３を個別に製作して組み付ける必要がなく、複数の伝達保持部１３を一度に設置することができ、この状態で伝達軸挿入部２２ｂに伝達保持軸２４を挿入する際に、複数の伝達部材１２それぞれを伝達保持軸２４に回転動作可能に取り付けることができる。このため、ハンマー保持部材１４と同様、部品点数が少なく、組立て作業が容易にできるので、生産性が良く、低コスト化を図ることができる。
【０１０２】
この場合、複数の伝達部材１０それぞれは、伝達保持軸２４が挿入する伝達嵌合孔２６ｂが設けられた伝達嵌合部２６を有し、複数の伝達保持部１３それぞれは、伝達嵌合部２６が挿入する一対のガイド壁２２ａからなる軸支持部２２を有し、この軸支持部２２の一対のガイド壁２２ａに伝達軸挿入部２２ｂが同一軸上に設けられていることにより、伝達保持軸２４を複数の伝達保持部１３の各伝達軸挿入部２２ｂに挿入する際に、伝達保持軸２４を伝達部材１０の伝達嵌合孔２６ｂに順次挿入するだけで、ハンマー部材１１と同様、伝達部材１０を簡単にかつ容易に取り付けることができるので、組立て作業性が良い。
【０１０３】
すなわち、伝達部材１０の伝達嵌合部２６を複数の伝達保持部１３の各軸支持部２２における各一対のガイド壁２２ａ間に配置した状態で、伝達部材１０の伝達嵌合部２６の伝達嵌合孔３７ｂを各一対のガイド壁２２ａそれぞれに設けられた各伝達軸挿入部２２ｂに同一軸上に正確にかつ良好に対応させることができる。
【０１０４】
この状態で、伝達保持軸２４を複数の伝達保持部１３の各伝達軸挿入部２２ｂと伝達部材１０の伝達嵌合孔３７ｂとに順次挿入することができるので、伝達保持部材１２の全長に亘って複数の伝達部材１０を一度に取り付けることができる。これにより、伝達部材１０を伝達保持軸２４に回転可能な状態で確実にかつ良好に取り付けることができるので、伝達部材１０がガタつくことなく、伝達部材１０を円滑にかつ良好に回転動作させることができる。
【０１０５】
このため、複数の伝達部材１０を伝達保持部材１２に取り付ける前に、予め、複数の伝達保持部１３が鍵２の配列方向に沿って形成された伝達保持部材１２を設置しても、複数の伝達保持部１３の伝達嵌合部２６を複数の伝達保持部１３の各一対のガイド壁２２ａ間に配置することができると共に、伝達部材１０の伝達嵌合部２６の伝達嵌合孔３６ｂを各一対のガイド壁２２ａそれぞれに設けられた各伝達挿入部２２ｂに同一軸上に確実に対応させることができる。
【０１０６】
この状態で、伝達保持軸２４を一対のガイド壁２２ａの各伝達軸挿入部２２ｂと伝達部材１０の伝達嵌合孔３７ｂとに順次挿入することができるので、伝達部材１０を伝達保持軸２４によって複数の伝達保持部１３に簡単にかつ容易に順次取り付けることができる。このため、組立て作業が容易にでき、生産性の向上を図ることができる。
【０１０７】
この場合、伝達保持部１３には、伝達部材１０の横振れを防ぐ一対のガイド壁２２ａが設けられていることにより、伝達保持部１３の伝達保持軸２４に伝達部材１０の伝達嵌合部２６を回転可能に取り付けると、伝達嵌合部２６を一対のガイド壁２２ａで摺動可能に挟むことができる。また、伝達嵌合部２６には、スリット溝２６ｃが伝達部材１０の長手方向に沿って形成されているので、伝達嵌合部２６が一対のガイド壁２２ａ間に挿入された際に、スリット溝２６ｃによって一対のガイド壁２２ａに摺動可能に弾接させることができる。
【０１０８】
このため、このアクション機構３では、押鍵操作に応じて伝達部材１０が回転する際に、伝達保持部１３の一対のガイド壁２２ａによって伝達部材１０が鍵２の配列方向に横振れするのを防ぐことができる。これにより、伝達部材１０を極めて円滑にかつ良好に回転させることができると共に、伝達部材１０の位置精度と動作精度とを高めることができる。
【０１０９】
さらに、伝達保持部１３には、伝達部材１０の横方向の位置を規制する規制部２３が設けられており、この規制部２３は、伝達保持部材１２の本体板１２ａ上に形成された一対の規制壁であり、伝達部材１０の伝達本体部２５における後側下部の両側面が切り欠かれた係合部２７を挟んだ状態で伝達部材１０の横方向の位置を規制する構成であることにより、規制部２３の一対の規制壁間で伝達部材１０の係合部２７を規制することができるので、伝達部材１０を回転可能にガイドすることができるほか、梱包搬送時に伝達部材１０を横振れさせずに、良好に位置規制できる。
【０１１０】
また、この電子鍵盤装置のアクション機構３では、鍵２の配列方向に沿って配置されて伝達保持部材１２が取り付けられる伝達支持レール１７と、鍵２の配列方向に沿って配置されてハンマー保持部材１４が取り付けられるハンマー支持レール１８と、を備えていることにより、複数の伝達保持部１３が鍵２の配列方向に沿って一体に形成された伝達保持部材１２を伝達支持レール１７上に順次取り付けることができると共に、複数のハンマー保持部１５が鍵２の配列方向に沿って一体に形成されたハンマー保持部材１４をハンマー支持レール１８上に順次取り付けることができ、これによっても組立て作業の簡素化を図ることができる。
【０１１１】
さらに、この電子鍵盤装置のアクション機構３では、鍵２の配列方向の全長における予め定められた複数個所にそれぞれ配置され、伝達支持レール１７およびハンマー支持レール１８を支持する複数の支持部材２０を備えていることにより、これら複数の支持部材２０によって伝達支持レール１７およびハンマー支持レール１８を鍵２の配列方向の全長に亘って安定した状態で確実にかつ良好に梁渡すことができるので、確実にかつ良好に複数の伝達部材１０および複数のハンマー部材１１を取り付けることができる。
【０１１２】
（第２実施形態）
次に、図１１〜図１５を参照して、この発明を電子鍵盤楽器に適用した第２実施形態について説明する。なお、図１〜図１０に示された第１実施形態と同一部分には同一符号を付して説明する。
この電子鍵盤楽器は、図１１〜図１５に示すように、ハンマー保持部材５０と伝達保持部材５１とが第１実施形態と異なる構成であり、これ以外は第１実施形態とほぼ同じ構成になっている。
【０１１３】
ハンマー保持部材５０は、第１実施形態と同様、ＡＢＳ樹脂などの硬質の合成によって形成されている。このハンマー保持部材５０は、図１１〜図１３に示すように、複数のハンマー保持部１５それぞれに設けられたハンマー軸挿入部５２が、ハンマー保持部１５の下側に開放された第１ハンマー切欠き部５２ａと、ハンマー保持部１５の上側に開放された第２ハンマー切欠き部５２ｂとを有し、第１ハンマー切欠き部５２ａと第２ハンマー切欠き部５２ｂとが複数のハンマー保持部１５に交互に設けられた構成になっている。
【０１１４】
すなわち、複数のハンマー保持部１５は、第１実施形態と同様、上方が開放されたレール状の本体板５０ａの後端部に、例えば１０個程度の各鍵２に対した状態で鍵２の配列方向に沿って一体に形成されている。このハンマー保持部１５は、ハンマー部材１１が回転自在に取り付けられた状態で、ハンマー部材１１の横振れを防ぐ軸支持部３２を有している。
【０１１５】
この場合、軸支持部３２は、図１１および図１２に示すように、ハンマー保持部材５０の本体板５０ａ上の後端部（図１２では上辺部）に各伝達部材１０と対応して形成された一対のガイド壁３２ａを有している。一対のガイド壁３２ａは、ハンマー部材１１の後述するハンマー嵌合部３７を両側から摺動可能に挟んだ状態で、ハンマー部材１１のハンマー嵌合部３７を回転可能にガイドするガイド部を構成している。
【０１１６】
また、これら一対のガイド壁３２ａには、図１１〜図１３に示すように、ハンマー部材１１を回転可能に保持するハンマー保持軸３４が挿入するハンマー軸挿入部５２が互いに対応して設けられている。このハンマー軸挿入部５２は、一対のガイド壁３２ａのうち、一方のガイド壁３２ａにその下方に向けて開放された第１ハンマー切欠き部５２ａと、他方のガイド壁３２ａにその上方に向けて開放された第２ハンマー切欠き部５２ｂとを有している。
【０１１７】
この場合、第１ハンマー切欠き部５２ａは、図１１〜図１３に示すように、その上端部がハンマー保持軸３４の外径とほぼ同じ大きさの半円形状に形成されている。第２ハンマー切欠き部５２ｂは、その下端部がハンマー保持軸３４の外径とほぼ同じ大きさの半円形状に形成されている。これら第１ハンマー切欠き部５２ａの上端部に位置する半円形状の中心と、第２ハンマー切欠き部５２ｂの下端部に位置する半円形状の中心とは、同一軸上に位置するように形成されている。
【０１１８】
これにより、ハンマー保持軸３４は、図１１および図１２に示すように、その一端部がハンマー保持部材５０の一方の端部側から複数のハンマー保持部１５の各軸支持部３２それぞれに設けられた複数のハンマー軸挿入部５２における第１ハンマー切欠き部５２ａと第２ハンマー切欠き部５２ｂとに順次挿入されて、ハンマー保持部材１３の他方の端部に位置する軸支持部３２のハンマー軸挿入部５２に挿入されるように構成されている。
【０１１９】
これにより、ハンマー保持軸３４は、図１３（ａ）〜図１３（ｄ）に示すように、第１ハンマー切欠き部５２ａの上端部に位置する半円形状の縁部と、第２ハンマー切欠き部５２ｂの下端部に位置する半円形状の縁部とで上下に挟まれ、この状態でハンマー保持部材５０の全長に亘って配置されるように構成されている。
【０１２０】
この場合にも、ハンマー部材１１は、第１実施形態と同様、そのハンマー嵌合部３７がハンマー保持部１５の軸支持部３２の一対のガイド壁３２ａ間に配置された状態で、一対のガイド壁３２ａに設けられたハンマー軸挿入部５２にハンマー保持軸３４を挿入する際に、そのハンマー保持軸３４がハンマー部材１１のハンマー嵌合孔３７ｂに挿入することにより、ハンマー保持軸３４に回転可能に取り付けられるように構成されている。
【０１２１】
一方、伝達保持部材５１は、第１実施形態と同様、ＡＢＳ樹脂などの硬質の合成によって形成されている。この伝達保持部材５１は、図１４および図１５に示すように、複数の伝達保持部１３それぞれに設けられた伝達軸挿入部５３が、伝達保持部１３の下側に開放された第１伝達切欠き部５３ａと、伝達保持部１３の上側に開放された第２伝達切欠き部５３ｂとを有し、第１伝達切欠き部５３ａと第２伝達切欠き部５３ｂとが複数の伝達保持部１３に交互に設けられた構成になっている。
【０１２２】
すなわち、複数の伝達保持部１３は、第１実施形態と同様、上方が開放されたレール状の本体板５１ａの後端部に、例えば１０個程度の各鍵２に対した状態で鍵２の配列方向に沿って一体に形成されている。この伝達保持部１３は、伝達部材１０が回転自在に取り付けられた状態で、伝達部材１０の横振れを防ぐ軸支持部２２を有している。
【０１２３】
この場合、軸支持部２２は、図１４および図１５に示すように、伝達保持部材５１の本体板５１ａ上の後端部（図１３では左端部）に各伝達部材１０と対応して形成された一対のガイド壁２２ａを有している。一対のガイド壁２２ａは、伝達部材１０の伝達嵌合部２６を両側から摺動可能に挟んだ状態で、伝達部材１０の伝達嵌合部２６を回転可能にガイドするガイド部を構成している。
【０１２４】
また、これら一対の一対のガイド壁２２ａには、図１４および図１５に示すように、伝達部材１０を回転可能に保持する伝達保持軸２４が挿入する伝達軸挿入部５３が互いに対応して設けられている。この伝達軸挿入部５３は、一対のガイド壁２２ａのうち、一方のガイド壁２２ａにその下方に向けて開放された第１伝達切欠き部５３ａと、他方のガイド壁２２ａにその上方に向けて開放された第２伝達切欠き部５３ｂとを有している。
【０１２５】
この場合、第１伝達切欠き部５３ａは、図１４および図１５に示すように、その上端部が伝達保持軸２４の外径とほぼ同じ大きさの半円形状に形成されている。第２伝達切欠き部５３ｂは、その下端部が伝達保持軸２４の外径とほぼ同じ大きさの半円形状に形成されている。これら第１伝達切欠き部５３ａの上端部に位置する半円形状の中心と、第２伝達切欠き部５３ｂの下端部に位置する半円形状の中心とは、同一軸上に位置するように形成されている。
【０１２６】
これにより、伝達保持軸２４は、図１４に示すように、その一端部が伝達保持部材５１の一方の端部側から複数の伝達保持部１３の各軸支持部２２それぞれに設けられた複数の伝達軸挿入部５３における第１伝達切欠き部５３ａと第２伝達切欠き部５３ｂとに順次挿入されて、伝達保持部材１２の他方の端部に位置する軸支持部２２の伝達軸挿入部５３に挿入されるように構成されている。
【０１２７】
これにより、伝達保持軸２４は、図１５（ａ）〜図１５（ｄ）に示すように、第１伝達切欠き部５３ａの上端部に位置する半円形状の縁部と、第２伝達切欠き部５３ｂの下端部に位置する半円形状の縁部とで上下に挟まれ、この状態で伝達保持部材５１の全長に亘って配置されるように構成されている。
【０１２８】
この場合にも、伝達部材１０は、第１実施形態と同様、その伝達嵌合部２６が伝達保持部１３の軸支持部２２の一対のガイド壁２２ａ間に配置された状態で、一対のガイド壁２２ａに設けられた伝達軸挿入部５３に伝達保持軸２４が挿入される際に、その伝達保持軸２４が伝達嵌合孔２６ｂに挿入することにより、伝達保持軸２４に回転可能に取り付けられるように構成されている。
【０１２９】
次に、このような電子鍵盤楽器のハンマー保持部材５０と伝達保持部材５１とを製作する場合について説明する。
まず、ハンマー保持部材５０を製作する場合には、ハンマー成型用金型（図示せず）によって製作する。このハンマー成型用金型は、上金型と下金型とで構成されている。すなわち、上金型と下金型との分割ライン（パーティングライン）は、複数のハンマー保持部１５の各軸支持部３２に設けられた第１ハンマー切欠き部５２ａの上端部に位置する半円形状の中心と、第２ハンマー切欠き部５２ｂの下端部に位置する半円形状の中心とが位置する個所に設置されている。
【０１３０】
これにより、上金型と下金型とを重ね合わせて、上金型と下金型との内部に形成された空洞部（キャビティ）内に樹脂を射出して充填し、この後、上金型と下金型とを分割ライン（パーティングライン）で分割して、上金型と下金型とを離型することにより、ハンマー保持部材５０が成型される。このときには、スライドコアを用いずに、上金型によって第１ハンマー切欠き部５２ａの半円形状の中心より上側が成型され、下金型によって第２ハンマー切欠き部５２ｂの半円形状の中心よりも下側が成型される。
【０１３１】
一方、伝達保持部材５１を製作する場合には、伝達成型用金型（図示せず）によって製作する。この伝達成型用金型は、上金型と下金型とで構成されている。すなわち、上金型と下金型との分割ライン（パーティングライン）は、複数の伝達保持部１３の各軸支持部２２に設けられた第１伝達切欠き部５３ａの上端部に位置する半円形状の中心と、第２伝達切欠き部５３ｂの下端部に位置する半円形状の中心とが位置する個所に設置されている。
【０１３２】
これにより、上金型と下金型とを重ね合わせて、上金型と下金型との内部に形成された空洞部（キャビティ）内に樹脂を射出して充填し、この後、上金型と下金型とを分割ライン（パーティングライン）で分割して、上金型と下金型とを離型することにより、伝達保持部材５１が成型される。このときにも、スライドコアを用いずに、上金型によって第１伝達切欠き部５３ａの半円形状の中心よりが上側が成型され、下金型によって第２伝達切欠き部５３ｂの半円形状の中心よりも下側が成型される。
【０１３３】
次に、このような電子鍵盤楽器のアクション機構３を組み立てる場合について説明する。
まず、ハンマー部材１１をハンマー保持部材５０の各ハンマー保持部１５に取り付ける場合には、第１実施形態と同様、ハンマー部材１１のハンマー嵌合部３７をハンマー保持部１５の軸支持部３２における一対のガイド壁３２ａ間に順次配置する。
【０１３４】
このときには、ハンマー部材１１のハンマー嵌合部３７のハンマー嵌合孔３７ｂを、軸支持部３２の一対のガイド壁３２ａに設けられた各ハンマー軸挿入部５２に対応させる。すなわち、ハンマー部材１１のハンマー嵌合孔３７ｂの中心を、軸支持部３２の第１ハンマー切欠き部５２ａの下端部に位置する半円形状の中心と、第２ハンマー切欠き部５２ｂの上端部に位置する半円形状の中心とに対応させる。
【０１３５】
この状態で、ハンマー保持軸３４の一端部を、ハンマー保持部材１４の一方の端部側から複数のハンマー保持部１５の各第１ハンマー切欠き部５２ａの下端部に位置する半円形状の個所と、各第２ハンマー切欠き部５２ｂの上端部に位置する半円形状の個所とに、順次挿入すると共に、複数のハンマー部材１１の各ハンマー嵌合孔３７ｂに順次挿入する。そして、ハンマー保持軸３４の一端部を、ハンマー保持部材１４の他方の端部に位置する軸支持部３２のハンマー軸挿入部５２に挿入する。
【０１３６】
これにより、ハンマー保持軸３４は、複数のハンマー保持部１５における各第１ハンマー切欠き部５２ａの下端部に位置する半円形状の個所と、複数のハンマー保持部１５における各第２ハンマー切欠き部５２ｂの上端部に位置する半円形状の個所とに、交互に上下方向から挟まれる。この状態で、ハンマー保持軸３４がハンマー保持部材１４にその鍵配列方向の全長に亘って取り付けられ、複数のハンマー部材１１が鍵配列方向に沿って並列に配列された状態で、ハンマー保持軸３４に回転可能に取り付けられる。
【０１３７】
一方、伝達部材１０を伝達保持部材５１の各伝達保持部１３に取り付ける場合には、第１実施形態と同様、伝達部材１０の伝達嵌合部２６を伝達保持部１３の軸支持部２２における一対のガイド壁２２ａ間に順次配置する。このときには、伝達部材１０の伝達嵌合部２６の伝達嵌合孔２６ｂを、軸支持部２２の一対のガイド壁２２ａに設けられた各伝達軸挿入部５３に対応させる。
【０１３８】
すなわち、伝達部材１０の伝達嵌合孔２６ｂの中心を、軸支持部２２の第１伝達切欠き部５３ａの下端部に位置する半円形状の中心と、第２伝達切欠き部５３ｂの上端部に位置する半円形状の中心とに対応させる。この状態で、伝達保持軸２４の一端部を、伝達保持部材５１の一方の端部側から複数の伝達保持部１３の各第１伝達切欠き部５３ａの下端部に位置する半円形状の個所と、各第２伝達切欠き部５３ｂの上端部に位置する半円形状の個所とに、順次挿入すると共に、複数の伝達部材１０の各伝達嵌合孔２６ｂに順次挿入する。
【０１３９】
そして、伝達保持軸２４の一端部を、伝達保持部材５１の他方の端部に位置する軸支持部２２の伝達軸挿入部５３に挿入する。これにより、伝達保持軸２４は、複数の伝達保持部１３における各第１伝達切欠き部５３ａの下端部に位置する半円形状の個所と、複数の伝達保持部１３における各第２伝達切欠き部５３ｂの上端部に位置する半円形状の個所とに、交互に上下方向から挟まれる。この状態で、伝達保持軸２４が伝達保持部材５１にその鍵配列方向の全長に亘って取り付けられ、複数の伝達部材１０が鍵配列方向に沿って並列に配列された状態で、伝達保持軸２４に回転可能に取り付けられる。
【０１４０】
このような第２実施形態の電子鍵盤楽器のアクション機構３によれば、第１実施形態と同様の作用効果があるほか、複数のハンマー保持部１５それぞれに設けられたハンマー軸挿入部５２が、ハンマー保持部１５の下側に開放された第１ハンマー切欠き部５２ａと、ハンマー保持部１５の上側に開放された第２ハンマー切欠き部５２ｂとを有し、第１ハンマー切欠き部５２ａと第２ハンマー切欠き部５２ｂとを複数のハンマー保持部１５に交互に設けた構成であるから、複数のハンマー保持部１５をハンマー成型用金型で一度に成型する際に、そのハンマー成型用金型の構造を簡素化することができ、これにより第１実施形態よりも生産性の向上および低コスト化を図ることができる。
【０１４１】
すなわち、このハンマー成型用金型は、上金型と下金型との分割ライン（パーティングライン）を、複数のハンマー保持部１５の各軸支持部３２に設けられた第１ハンマー切欠き部５２ａの上端部に位置する半円形状の中心と、第２ハンマー切欠き部５２ｂの下端部に位置する半円形状の中心とが位置する個所に、設置することができるので、スライドコアを用いずに、上金型によって第１ハンマー切欠き部５２ａの半円形状の中心より上側を成型することができ、下金型によって第２ハンマー切欠き部５２ｂの半円形状の中心よりも下側を成型することができる。
【０１４２】
また、この第２実施形態の電子鍵盤楽器のアクション機構３によれば、複数の伝達保持部１３それぞれに設けられた伝達軸挿入部５３が、伝達保持部１３の下側に開放された第１伝達切欠き部５３ａと、伝達保持部１３の上側に開放された第２伝達切欠き部５３ｂとを有し、第１伝達切欠き部５３ａと第２伝達切欠き部５３ｂとを複数の伝達保持部１３に交互に設けた構成であるから、複数の伝達保持部１３を伝達成型用金型で一度に成型する際に、その伝達成型用金型の構造を簡素化することができ、これにより第１２実施形態よりも生産性の向上および低コスト化を図ることができる。
【０１４３】
すなわち、この伝達成型用金型は、上金型と下金型との分割ライン（パーティングライン）を、複数の伝達保持部１３の各軸支持部２２に設けられた第１伝達切欠き部５３ａの上端部に位置する半円形状の中心と、第２伝達切欠き部５３ｂの下端部に位置する半円形状の中心とが位置する個所に、設置することができるので、スライドコアを用いずに、上金型によって第１伝達切欠き部５３ａの半円形状の中心より上側を成型することができ、下金型によって第２伝達切欠き部５３ｂの半円形状の中心よりも下側を成型することができる。
【０１４４】
なお、上述した第２実施形態では、複数のハンマー保持部１５それぞれにおける一対のガイド壁３２ａのうち、一方のガイド壁３２ａにハンマー軸挿入部５２の第１ハンマー切欠き部５２ａを設け、他方のガイド壁３２ａにハンマー軸挿入部５２の第２ハンマー切欠き部５２ｂを設けた構成である場合について述べたが、これに限らず、複数のハンマー保持部１５のうち、互いに隣接するハンマー保持部１５ごとに第１ハンマー切欠き部５２ａと第２ハンマー切欠き部５２ｂとを交互に設けた構成であっても良い。
【０１４５】
同様に、上述した第２実施形態では、複数の伝達保持部１３それぞれにおける一対のガイド壁２２ａのうち、一方のガイド壁２２ａに伝達軸挿入部５３の第１伝達切欠き部５３ａを設け、他方のガイド壁２２ａに伝達軸挿入部５３の第２伝達切欠き部５３ｂを設けた構成である場合について述べたが、これに限らず、複数の伝達保持部１３のうち、互いに隣接する伝達保持部１３ごとに第１伝達切欠き部５３ａと第２伝達切欠き部５３ｂとを交互に設けた構成であっても良い。
【０１４６】
また、上述した第１、第２の各実施形態では、ハンマー部材１１をハンマー保持軸３４によってハンマー保持部材１４、５０に保持し、伝達部材１０を伝達保持軸２４によって伝達保持部材１２、５１に保持した場合について述べたが、必ずしも伝達部材１０は伝達保持軸２４によって伝達保持部材１２、５１に保持される必要はなく、他の構造で伝達部材１０を伝達保持部材１２、５１に保持するように構成しても良い。
【０１４７】
また、上述した第１、第２の各実施形態では、伝達支持レール１７とハンマー支持レール１８とが鍵２の配列方向の全長に亘る長さに形成されている場合について述べたが、これに限らず、例えば伝達支持レールとハンマー支持レールとをそれぞれ複数に分割して鍵２の配列方向の全長に亘って配置するように構成して良い。
【０１４８】
この場合、伝達支持レールとハンマー支持レールとを複数の支持部材２０の配置間隔ごとに４つに分割しても良く、また鍵２の配列方向における全長の半分に分割しても良く、さらに３つに分割しても良い。また、同様に、下限ストッパレール３９と上限ストッパレール４１も、複数の支持部材２０の配置間隔ごとに４つに分割しても良く、また鍵２の配列方向における全長の半分に分割しても良く、さらに３つに分割しても良い。
【０１４９】
さらに、上述した第１、第２の各実施形態では、伝達保持部材１２、５１に複数の伝達保持部１３を１０個程度の鍵２にそれぞれ対応させて一体に形成し、ハンマー保持部材１４、５０に複数のハンマー保持部１５を１０個程度の鍵２にそれぞれ対応させて一体に形成した場合について述べたが、これに限らず、例えば複数の伝達保持部１３および複数のハンマー保持部１５をそれぞれ２０個程度の鍵２にそれぞれ対応させて一体に形成しても良く、またこれらに限らず、５個程度の各鍵２に対応するように一体に形成しても良く、その数は自由に選択して一体に形成しても良い。
【０１５０】
以上、この発明のいくつか実施形態について説明したが、この発明は、これらに限られるものではなく、特許請求の範囲に記載された発明とその均等の範囲を含むものである。
以下に、本願の特許請求の範囲に記載された発明を付記する。
【０１５１】
（付記）
請求項１に記載の発明は、並列に配列された複数の鍵と、前記複数の鍵それぞれに対応して配置され、当該複数の鍵それぞれの押鍵操作に応じて回転動作する複数の伝達部材と、前記複数の伝達部材それぞれに対応して配置され、押鍵操作に対応する前記伝達部材の回転動作に応じて回転動作することにより、押鍵操作されている前記鍵に対してアクション荷重を付与する複数のハンマー部材と、前記複数のハンマー部材それぞれを保持するために、前記複数の鍵の配列方向に沿って一体に形成された複数のハンマー保持部と、前記複数のハンマー保持部それぞれに対応して設けられたハンマー軸挿入部と、を有するハンマー保持部材と、前記ハンマー軸挿入部に挿入され、前記複数のハンマー部材それぞれが回転動作可能に取り付けられるハンマー保持軸と、を備えていることを特徴とする鍵盤装置のアクション機構である。
【０１５２】
請求項２に記載の発明は、並列に配列された複数の鍵と、前記複数の鍵それぞれに対応して配置され、当該複数の鍵それぞれの押鍵操作に応じて回転動作する複数の伝達部材と、前記複数の伝達部材それぞれに対応して配置され、押鍵操作に対応する前記伝達部材の回転動作に応じて回転動作することにより、押鍵操作されている前記鍵に対してアクション荷重を付与する複数のハンマー部材と、前記複数の伝達部材それぞれを保持するために、前記複数の鍵の配列方向に沿って一体に形成された複数の伝達保持部と、前記複数の伝達保持部それぞれに対応して設けられた伝達軸挿入部と、を有する伝達保持部材と、前記伝達軸挿入部に挿入され、前記複数の伝達部材それぞれが回転動作可能に取り付けられる伝達保持軸と、を備えていることを特徴とする鍵盤装置のアクション機構である。
【０１５３】
請求項３に記載の発明は、請求項１に記載の鍵盤装置のアクション機構において、前記複数のハンマー部材それぞれは、前記ハンマー保持軸が挿入するハンマー嵌合孔が設けられたハンマー嵌合部を有し、前記複数のハンマー保持部それぞれは、前記ハンマー嵌合部が挿入する一対のガイド壁を有し、これら一対のガイド壁に前記ハンマー軸挿入部が同一軸上に設けられていることを特徴とする鍵盤装置のアクション機構である。
【０１５４】
請求項４に記載の発明は、請求項１または請求項３に記載の鍵盤装置のアクション機構において、前記複数のハンマー保持部それぞれに設けられた前記ハンマー軸挿入部は、前記ハンマー保持部の下側に開放された第１ハンマー切欠き部と、前記ハンマー保持部の上側に開放された第２ハンマー切欠き部とを有し、前記第１ハンマー切欠き部と前記第２ハンマー切欠き部とが前記複数のハンマー保持部に交互に設けられていることを特徴とする鍵盤装置のアクション機構である。
【０１５５】
請求項５に記載の発明は、請求項２に記載の鍵盤装置のアクション機構において、前記複数の伝達部材それぞれは、前記伝達保持軸が挿入する伝達嵌合孔が設けられた伝達嵌合部を有し、前記複数の伝達保持部それぞれは、前記伝達嵌合部が挿入する一対のガイド壁を有し、これら一対のガイド壁に前記伝達軸挿入部が同一軸上に設けられていることを特徴とする鍵盤装置のアクション機構である。
【０１５６】
請求項６に記載の発明は、請求項２または請求項５に記載の鍵盤装置のアクション機構において、前記複数の伝達保持部それぞれに設けられた前記伝達軸挿入部は、前記伝達保持部の下側に開放された第１伝達切欠き部と、前記伝達保持部の上側に開放された第２伝達切欠き部とを有し、前記第１伝達切欠き部と前記第２伝達切欠き部とが前記複数の伝達保持部に交互に設けられていることを特徴とする鍵盤装置のアクション機構である。
【０１５７】
請求項７に記載の発明は、請求項１〜請求項６のいずれかに記載された鍵盤装置のアクション機構を備えていることを特徴とする鍵盤楽器である。
【符号の説明】
【０１５８】
１  鍵盤装置
２  鍵
３  アクション機構
１０  伝達部材
１１  ハンマー部材
１２、５１  伝達保持部材
１３  伝達保持部
１４、５０  ハンマー保持部材
１５  ハンマー保持部
１７  伝達支持レール
１８  ハンマー支持レール
２０  支持部材
２２  軸支持部
２２ａ  ガイド壁
２２ｂ、５３  伝達軸挿入部
２４  伝達保持軸
２６  伝達嵌合部
２６ｂ  嵌合孔
２６ｃ  スリット溝
３１  ハンマー突起部
３２  軸支持部
３２ａ  ガイド壁
３２ｂ、５２  ハンマー軸挿入部
３４  ハンマー保持軸
３５  ハンマー部
３６  ハンマーアーム
３７  ハンマー嵌合部
３７ｂ  嵌合孔
３７ｃ  スリット溝
３８  下限ストッパ
４１  上限ストッパ
４３  スイッチ基板
４５  ゴムスイッチ
５２ａ  第１ハンマー切欠き部
５２ｂ  第２ハンマー切欠き部
５３ａ  第１伝達切欠き部
５３ｂ  第２伝達切欠き部
【図１】
0006331085.tif 000002
【図２】
0006331085.tif 000003
【図３】
0006331085.tif 000004
【図４】
0006331085.tif 000005
【図５】
0006331085.tif 000006
【図６】
0006331085.tif 000007
【図７】
0006331085.tif 000008
【図８】
0006331085.tif 000009
【図９】
0006331085.tif 000010
【図１０】
0006331085.tif 000011
【図１１】
0006331085.tif 000012
【図１２】
0006331085.tif 000013
【図１３】
0006331085.tif 000014
【図１４】
0006331085.tif 000015
【図１５】
0006331085.tif 000016